(57)【要約】      （修正有）【課題】もみ等を袋に投入する際、開口部の開閉状態にてチャック用スライダー等の位置が変わることに左右されなく、複数の袋を同方向正面に並び揃えることを視覚を通して効率的に実施する識別色付多目的袋を提供する。【解決手段】開閉可能な多目的袋１の正面に対し、開口部２真下の左端に正面識別色部４を有し、背面には開口部２真下の右端に背面識別色部５を有することで、視覚を通して容易に数多くの多目的袋１を正面同方向に並び揃えること出来る識別色付多目的袋である。【選択図】図１
0003134168.tif 000002
【実用新案登録請求の範囲】
【請求項１】
開閉可能な多目的袋（１）において、多目的袋（１）の開口部（２）には、開口部（２）の縁を左右自在に走行する開閉用のチャック用スライダー等（３）を有し、多目的袋（１）の正面に対し開口部（２）真下の左端適所に該当する１箇所に正面識別色部（４）を有し、かつ多目的袋（１）の背面に対し開口部（２）真下の右端適所に該当する１箇所に背面識別色部（５）を有する識別色付多目的袋
【考案の詳細な説明】
【技術分野】
【０００１】  開閉可能な袋は、様々な分野で利用されており、開口部にはチャック用スライダー等、様々な開閉方法が考案されている。本考案は開閉可能な袋の開口部を閉じた状態で、チャック用スライダー等の現在位置を識別する技術に関するものである。
【背景技術】
【０００２】  開閉可能な袋を使用する際、課題となるのはスムーズに開閉する作業が可能であることと、開口部及びチャック用スライダー等をきわめて容易に認識可能とする２点が挙げられる。【０００３】  本考案は、開閉可能な袋の開口部及びチャック用スライダー等をきわめて容易に認識可能とする課題に関するものであり、従来の公知技術としては、チャック用スライダー等自体に袋本体とは別の識別色を着色等（特開２００２−１７９０９８号）や袋本体上部に帯状の識別色を着色等（特開平９−１６５０５１号）することで、袋自体の開口部やチャック用スライダー等の位置を確認可能な考案がなされている。
【考案の開示】
【考案が解決しようとする課題】
【０００４】  開閉可能な袋を使用する際、開口部及びチャック用スライダー等がどの位置にあるのか即座に判断する必要性は、数多くの物品を出し入れする場合、一つ一つの開閉可能な袋に対し、各々を、開口部及びチャック用スライダー等の位置を確認した後、開閉する作業を実施する精神的、身体的疲弊を防ぐために生じるのである。【０００５】  したがって、袋本体とチャック用スライダー等または開閉可能な袋の開口部が一目で区別可能とするため、各々別の着色を施すことでその差異を視覚を通して明確にすることが重要となる。【０００６】  ところが従来の公知技術であるチャック用スライダー等自体に袋本体とは別の識別色を着色等（特開２００２−１７９０９８号）を施す考案では、確かに袋本体とチャック用スライダー等の区別は可能であるが、袋自体殆ど正面と背面との形態は同一であり、チャック用スライダー等の現在の位置の視覚的判断では、この段階で開口部の開閉状態の確認は出来ない。【０００７】  つまりチャック用スライダーやチャック等と開閉可能な袋本体のみ区別可能となり、開口部の上下の位置関係は確認可能だが、開口部はこの段階で開いているのか、閉じているのかは即座に判断できないことになる。このことは効率的に数多くの開閉可能な袋の開口部を上下、左右同方向揃えかつ開口部の開閉の状態も同時に確認する作業が出来ないことを示すものである。【０００８】  通常状態で、開閉可能な袋を正面にして、左側にチャック用スライダーが位置していれば開口部は閉じていることになるが、袋自体正面、背面の区別が即座に判断しにくく、着色してないチャック用スライダー等と同様程度の開口部の開閉確認作業が必要となる。【０００９】  袋本体上部に帯状の識別色を着色等（特開平９−１６５０５１号）した考案でも、確認できるのは開口部の上下位置関係のみであり、開口部の開閉確認は即座にできず、これもまた着色してない開閉可能な袋と同様程度の開口部の開閉確認作業が必要となる。【００１０】  本考案では、以上の課題を克服すべく要件を具備しており、数多くの開閉可能な袋を効率よく上下、左右を統一して重ね揃えることを課題としている。
【課題を解決するための手段】
【００１２】  本考案を用いて以上の課題を解決する手段としては、例えば、コンバイン等で刈り取ったもみや脱穀機で脱穀したもみを開閉可能な袋に投入しようとする際、開口部が開口されているかを確認した後、もみを袋内に投入することになるが、開口されていなければ、チャック用スライダー等にてすばやく開口しなければならない。【００１３】  ところが、スライダーやチャック等の位置のみ確認しても、開口しているのか閉口状態なのか一瞬に判断することは困難である。【００１４】  そこで本考案では、チャック用スライダー等ではなく開閉可能な袋本体の開口部付近に識別色を帯状に両端付近まで着色するのではなく、開口部付近かつチャック用スライダー等によって閉口された状態で、正面、背面の両面に対しチャック用スライダー等が位置するその真下付近各々一箇所、即ち袋本体の正面に対し開口部付近の左端、及び背面に対し開口部付近の右端のみに識別色となる着色を施すものである。
【考案の効果】
【００１５】  従来の公知技術では、チャック用スライダー等自体に着色することで、チャック用スライダー等自体の位置は視覚的に判断できるが、開閉可能な袋自体の開閉状態を確認することは即座にはできない。【００１６】  また開閉可能な袋自体の開口部付近の両端まで伸びる着色ラインを施すことは、デザイン的には優れていたとしても、視覚的を通して開口部の位置は判断可能だが、依然として、開閉可能な袋自体の開閉状態を確認することは即座にはできない。【００１７】  つまり数多くの開閉可能な袋にもみ等を投入する準備として、正面同方向に袋自体を並び揃えることは効率よく投入するために必須であり、チャック用スライダー等を基準として左端に並び揃えても各々の袋自体の開閉はばらばらであるため、正面、背面と混合しており、あらためて各々の開閉可能な袋を正面に揃え、その後チャック用スライダー等を開口部を開口すべく右側に移動させなければならず、即もみ等投入作業に入ることは出来ないのである。【００１８】  本考案の特徴は、閉口状態とした場合のチャック用スライダー等が位置する真下に、正面、背面の両面から識別色となる着色を施すことで、現在のチャック用スライダー等の位置確認をするのではなく、開口部を上方向にして、着色部を左側に揃えるのみで、各々の開閉可能な袋を正面に揃えることが出来ることにある。【００１９】  詳細に述べるならば、例えば、もみ等を投入するために、開閉可能な袋の開口部を開口しなければならないが、ここで重要なことは、袋自体が開口しているか、閉口しているかを視覚的に判断することは困難だということである。【００２０】  従来の公知技術であるチャック用スライダー等自体に着色しても、開口部が開口しているのか閉口しているのかでチャック用スライダー等の現在位置は変動しており、その位置は視覚的に確認出来るが、袋自体の開閉状態を確認することは困難であるといえよう。【００２１】  そこで本考案の効果を述べるに、先ず最初の段階で重要なことは、開閉可能な袋の開閉状態の確認は問わないことにある。開口部付近に識別色となる着色が正面、背面各々に一箇所のみ施してあるため、着色位置を視覚的に確認することができ、しかも着色位置は閉口状態でのチャック用スライダー等が位置すべく真下の片端部であるため、即座にチャック用スライダー等を着色側に移動させることで、閉口状態を確保でき、着色位置と反対側片端に移動させることで、これもまた即座に開口状態の確保可能とすることができる。【００２２】  つまり従来の公知技術では、チャック用スライダー等の現在位置や開口部の位置を視覚を通して確認は出来るが、開閉可能な袋自体の開閉状態を確認することは困難であり、触覚等であらためて開閉状態の確認を実施しなければならず、その後更にチャック用スライダー等を開口状態に揃えるべく移動させることになる。【００２３】  しかも、数多くの開閉可能な袋を扱ったり、もみ袋等のように体積、重量も大きい開閉可能な袋を扱う場合等、もみ等を投入する際の開口作業及び投入後の閉口作業を円滑に実施するため、先ずチャック用スライダー等が閉口状態で左側に位置するよう正面、背面を区別し、正面を表側として並び揃えなければならないが、この段階で開口部の開閉状態の確認を、チャック用スライダー等の現在位置の確認のみで判断することは困難であり、その作業工程の煩わしさを解消することはできない。【００２４】  然しながら、本考案では、識別色としての着色した識別色部の位置を視覚的に確認し、正面、背面どちらでも着色した箇所を左側に位置するよう並べるだけで必然的にすべての袋本体は正面を表側として同じ方向に並び揃えることが可能となり、もみ等を投入すべく開口状態にするためには、袋本体を並び揃えた後ただ単にチャック用スライダー等を右端に移動させるだけよいのである。【００２５】  以上の如く本考案は、開口部真下付近に位置する正面の左端、背面の右端のみに各々識別色として着色するだけで、もみ等を投入するべく同方向に数多くの開閉可能な袋を並びそろえることが効率よく視覚的にも煩わしくなくスムースに作業することができる識別色付多目的袋を提供することができる。
【考案を実施するための最良の形態】
【００２６】  先ず、開閉可能な袋の正面、背面両側の開口部真下付近に、識別色を付すことになるが、開口部が上方向に位置すべく正面の左端のみ一箇所及び背面の右端のみ一箇所に直接着色するか、着色された他部材を貼付させる。【００２７】  開口部を開いた状態ではチャック用スライダー等を正面に対して右端に移動、閉じた状態では左端に移動可能とする。開閉可能な袋自体にデザインとして様々な模様等を付すのであれば、本考案の識別色が明確に視覚できることを必須としなければならない。
【実施例】
【００２８】  図１を参照して、本考案は様々な開閉可能な袋に利用可能であるため、布製、紙製、プラスチック製等は問わない。【００２９】  開閉可能な多目的袋（１）において、開口部（２）の縁を前後自在に走行する開閉用のチャック用スライダー等（３）を有し、開口部（２）を上方向として、正面に対し開口部（２）真下の左端の一箇所及び背面に対し開口部真下右端の一箇所に直接着色するか、又は着色した他部材を同様に正面に対し開口部真下の左端の一箇所及び背面に対し開口部真下右端の一箇所に貼付し、正面に付された着色部を正面識別色部（４）とし、背面に付された着色部を背面識別色部（５）とする。【００３０】  利用方法としては、識別色としての着色部が右側に位置していれば、つまり背面識別色部（５）が右側に位置していれば、袋自体を裏返すことで正面となり、必然的に正面識別色部（４）が左側に位置することになる。また識別色としての着色部が左側に位置していれば、そのままで正面識別色部（４）が左側に位置することになる。【００３１】  即ち、一回の視覚的判断に基づく操作で、開閉可能な多目的袋（１）を正面同方向に位置するよう必要な枚数を並び揃えることが出来る。この段階で開口部（２）の開閉状態は確認する必要はない。【００３２】  次に、もみ等を投入する準備として、チャック用スライダー等（３）を正面に対して右端に移動させることで開口部（２）は開いた状態を確保することができる。【００３３】  もみ等を投入後、チャック用スライダー等（３）を左端に移動させることで、開口部（２）は閉じた状態となり、投入作業は完了する。【００３４】  以上の特性を有することで、もみ等の開閉可能な袋への投入作業が効率的実施することができる識別色付多目的袋を提供するものである。
【図面の簡単な説明】
【００３５】
【図１】  本考案の示す開口部が閉口状態である正面図
【図２】  本考案の示す開口部が閉口状態である背面図
【図３】  本考案の示す識別色付多目的袋を同方向に並びそろえた斜面図
【符号の説明】
【００３６】    １  多目的袋
２  開口部
３  チャック用スライダー等
４  正面識別色部
５  背面識別色部
【図１】
0003134168.tif 000003
【図２】
0003134168.tif 000004
【図３】
0003134168.tif 000005